(57)【要約】【課題】カバー部材の取り外し時における当該カバー部材の変形を抑制可能な薬剤体容器を提供すること。【解決手段】薬剤体容器であって、支持部材（２０）と、カバー部材（４０）とを備え、支持部材（２０）は、薬剤体（１０）の下部を保持する保持部（２２）と、カバー部材（４０）を係止可能な係止部（３０）とを有し、カバー部材（４０）は、下方に開口する筒状のカバー本体（４２）と、係止部（３０）と係合する被係止部（５０）とを有し、被係止部（５０）は、カバー本体（４２）の外周面の下端よりも上方の部位から外側に張り出す張出部（５２）と、張出部（５２）の外端から下方に向かって延びるとともに周方向の全域にわたって径方向についてカバー本体（４２）と重なる形状の側壁部（５４）と、側壁部（５４）の下端に接続されており係止部（３０）と係合する形状の係合部（５６）とを有すること。【選択図】図７
2015048140.tif 000002
【特許請求の範囲】
【請求項１】
薬剤を含むとともに保形性を有する薬剤体を収容するための収容空間を有する薬剤体容器であって、
前記薬剤体を支持する支持部材と、
前記支持部材とともに前記薬剤体を収容するカバー部材と、を備え、
前記支持部材は、前記薬剤体の下部を保持する保持部と、前記カバー部材を係止可能な係止部とを有し、
前記カバー部材は、少なくとも下方に開口する筒状でありかつ前記支持部材とともに前記収容空間を形成するカバー本体と、前記係止部と係合する被係止部とを有し、
前記被係止部は、前記カバー本体の外周面の下端よりも上方の部位から外側に張り出す張出部と、前記張出部の外端から下方に向かって延びるとともに前記カバー本体の周方向の全域にわたって前記カバー本体の径方向について当該カバー本体と重なる形状の側壁部と、前記側壁部の下端に接続されており前記係止部と係合する形状の係合部とを有する薬剤体容器。
【請求項２】
請求項１に記載の薬剤体容器において、
前記係合部は、前記側壁部の下端から内側に向かって突出する形状を有し、
前記係止部は、前記保持部の外周面から前記カバー本体の外周面と前記係合部との間を通って前記係合部の上方に至るように延びる形状の係止部本体と、前記係合部の上から当該係合部に係合するように前記係止部本体の外側面から外側に向かって突出する突出部とを有する薬剤体容器。
【請求項３】
請求項２に記載の薬剤体容器において、
前記係止部本体及び前記側壁部は円筒状であり、
前記係合部は、当該係合部が前記側壁部の周方向について前記突出部から離間しかつ当該係合部の上面が前記突出部の上面よりも下方に位置する解除状態から前記周方向に沿って前記係合部が前記突出部に近付く係合方向に変位することで前記突出部と係合し、かつこの係合状態において前記突出部の下面に圧接する形状を有する薬剤体容器。
【請求項４】
請求項３に記載の薬剤体容器において、
前記係止部と前記被係止部とが互いに係合したときに前記収容空間を密閉するように前記保持部の上端が前記周方向の全域にわたって前記カバー部材に食い込む、あるいは、前記カバー本体の下端が前記周方向の全域にわたって前記支持部材に食い込む形状を有する薬剤体容器。
【請求項５】
請求項４に記載の薬剤体容器において、
前記係止部と前記被係止部とが互いに係合したときに前記保持部の上端が前記周方向の全域にわたって前記カバー本体の下端に食い込む形状を有する薬剤体容器。
【請求項６】
請求項５に記載の薬剤体容器において、
前記被係止部は、前記側壁部の下端から下方に延びる延長壁部をさらに有し、この延長壁部の下端の位置は、前記カバー本体の下端の位置よりも下方となるように設定されている薬剤体容器。
【請求項７】
請求項３ないし６のいずれかに記載の薬剤体容器において、
前記被係止部は、前記突出部に乗り上げる乗上部をさらに有し、この乗上部は、前記係合状態から前記解除状態となるように前記係合部が前記周方向について前記係合方向と反対の解除方向に変位した後そのまま当該解除方向に変位するにしたがって前記カバー本体を前記軸方向について前記支持部材から次第に離間させるように前記突出部に乗り上げる形状を有する薬剤体容器。
【請求項８】
請求項７に記載の薬剤体容器において、
前記被係止部は、前記係合部の前記周方向の両端から下方に向かって突出する一対の凸部をさらに有し、この一対の凸部の下端は前記乗上部の下端と同じ高さ位置に設定されており、
前記突出部の前記周方向の寸法は、前記一対の凸部のうち前記乗上部と前記周方向に隣接する隣接凸部の下端と前記乗上部の下端との間の寸法及び前記一対の凸部のそれぞれの下端間の寸法よりも大きく設定されている薬剤体容器。
【発明の詳細な説明】
【技術分野】
【０００１】
本発明は、芳香剤、消臭剤、脱臭剤等の薬剤を含むとともに保形性を有する薬剤体を収容する薬剤体容器に関する。
【背景技術】
【０００２】
従来、芳香剤等の薬剤を含むとともに保形性を有する薬剤体を収容する薬剤体容器が知られている。例えば特許文献１には、保形性を有する薬剤体を支持する詰替本体と、詰替本体とともに前記薬剤体を収容する詰替蓋体と、を備える薬剤体容器が開示されている。前記詰替本体は、前記薬剤体の下部を保持する深皿部と、深皿部の上端に接続されており前記詰替蓋体を係止する凹形リブとを有する。前記詰替蓋体は、円筒部と、この円筒部の上側の開口を閉塞する天蓋と、前記円筒部の下端部の外周面に設けられており前記凹形リブと係合可能な逆Ｌ字形リブとを有する。この逆Ｌ字形リブは、詰替本体に対して円筒部がその周方向の一方側である係合方向に回転することにより前記凹形リブに係合する一方、前記円筒部が前記係合方向とは反対の解除方向に回転することにより前記凹形リブから離脱する。
【０００３】
通常、前記薬剤体容器は、その内部に前記薬剤体を収容した状態で流通する。この薬剤体容器内に収容された薬剤体を露出させるときは、まず、詰替本体に対して詰替蓋体を前記周方向の解除方向に相対回転させる。これにより、前記逆Ｌ字形リブと前記凹形リブとの係合が解除される。そして、詰替蓋体をその軸方向について詰替本体から離間する方向へ変位させることにより、当該詰替蓋体が詰替本体から取り外される。その結果、深皿部に保持された状態の薬剤体が露出する。
【先行技術文献】
【特許文献】
【０００４】
【特許文献１】実公平０６−２８１０５号公報
【発明の概要】
【発明が解決しようとする課題】
【０００５】
特許文献１に記載の薬剤体容器では、詰替蓋体（以下、「カバー部材」という。）を詰替本体から取り外すときに当該カバー部材が撓み変形し、これにより薬剤体に圧縮力が作用する場合がある。具体的に、前記カバー部材の円筒部の下端部は自由端になっており当該円筒部において相対的に強度が低いことから、前記円筒部を把持してこれを詰替本体に対して前記周方向の解除方向に相対的に回転させることにより前記凹形リブと前記逆Ｌ字形リブとの係合を解除した後、前記カバー部材を前記軸方向について詰替本体から離間する方向へ変位させるときに、前記円筒部を把持する力によって特に自由端である前記円筒部の下端部が内側へ撓み変位し、これにより薬剤体に圧縮力が作用する場合がある。この場合、薬剤体から薬液が搾り出されるおそれがある。
【０００６】
本発明の目的は、カバー部材の取り外し時における当該カバー部材の変形を抑制可能な薬剤体容器を提供することである。
【課題を解決するための手段】
【０００７】
前記課題を解決するために、薬剤体を覆うカバー部材のうち自由端となった下端部の外周面に補強リブを設けることが考えられる。しかしながら、カバー部材の下端部の外周面には、前記薬剤体を支持する支持部材に係止される被係止部が設けられるので、当該カバー部材の下端部の外周面に補強リブを設けるためのスペースを確保することは困難である。
【０００８】
そこで、本発明者は、カバー部材を補強するための専用の補強部を別途設けるのではなく、カバー部材と支持部材との係合のために当該カバー部材に設けられる被係止部を利用してカバー部材の強度を向上させること、すなわち、被係止部にカバー部材を補強する機能を兼用させることによって当該カバー部材の剛性を確保することに想到した。
【０００９】
本発明は、このような観点からなされたものであり、薬剤を含むとともに保形性を有する薬剤体を収容するための収容空間を有する薬剤体容器であって、前記薬剤体を支持する支持部材と、前記支持部材とともに前記薬剤体を収容するカバー部材と、を備え、前記支持部材は、前記薬剤体の下部を保持する保持部と、前記カバー部材を係止可能な係止部とを有し、前記カバー部材は、少なくとも下方に開口する筒状でありかつ前記支持部材とともに前記収容空間を形成するカバー本体と、前記係止部と係合する被係止部とを有し、前記被係止部は、前記カバー本体の外周面の下端よりも上方の部位から外側に張り出す張出部と、前記張出部の外端から下方に向かって延びるとともに前記カバー本体の周方向の全域にわたって前記カバー本体の径方向について当該カバー本体と重なる形状の側壁部と、前記側壁部の下端に接続されており前記係止部と係合する形状の係合部とを有する薬剤体容器を提供する。
【００１０】
本薬剤体容器では、カバー部材の被係止部が支持部材の係止部に係合可能な係合部を有するとともに前記張出部と前記側壁部とを有するので、カバー部材を補強するための専用の補強部を別途設けずともカバー部材を前記支持部材に係合させるための被係止部によって当該カバー部材の剛性が確保される。具体的に、前記張出部は、前記カバー本体の外周面から外側に張り出す形状を有し、前記側壁部は、張出部の外端から下方に向かって延びるとともに前記周方向の全域にわたって前記径方向についてカバー本体と重なる形状を有するので、前記カバー部材のうち前記張出部よりも上側の部位の断面係数に比べて前記張出部よりも下側の部位の断面係数が大きくなり、これにより前記カバー部材のうち張出部よりも下側の部位の強度が確保される。そして、前記係合部は、前記側壁部に接続されており、前記張出部及び前記側壁部による前記カバー部材を補強する機能を阻害することなく当該カバー部材の前記支持部材への係合を可能とする。換言すれば、前記被係止部は、支持部材の係止部と係合する機能に加えてカバー部材を補強する機能を兼ね備えていることから、この被係止部をカバー本体に設けることにより、カバー部材を補強するための専用の補強部を設けるスペースの確保を省略しながら、カバー部材の支持部材への係合と当該カバー部材の補強との双方が可能となる。よって、カバー部材を支持部材から取り外すときに当該カバー部材を把持する力、すなわち、カバー部材に対して内向きに作用する力に起因するカバー部材の撓み変形が抑制される。したがって、カバー部材を支持部材から取り外すときに薬剤体から薬液が絞り出されるのが抑制される。
【００１１】
具体的に、前記係合部は、前記側壁部の下端から内側に向かって突出する形状を有し、前記係止部は、前記保持部の外周面から前記カバー本体の外周面と前記係合部との間を通って前記係合部の上方に至るように延びる形状の係止部本体と、前記係合部の上から当該係合部に係合するように前記係止部本体の外側面から外側に向かって突出する突出部とを有することが好ましい。
【００１２】
このようにすれば、薬剤体容器の径方向への大型化を回避しながら前記カバー部材の前記支持部材から離間する方向への変位を規制する構造が構築される。具体的に、前記係止部本体及び突出部はともに前記径方向について側壁部の内側に収まり、かつこの状態で前記突出部が前記係合部の上から当該係合部に係合するので、薬剤体容器の前記径方向の寸法の大型化を回避しながらカバー部材の支持部材から離間する方向への変位が規制される。
【００１３】
この場合において、前記係止部本体及び前記側壁部は円筒状であり、前記係合部は、当該係合部が前記側壁部の周方向について前記突出部から離間しかつ当該係合部の上面が前記突出部の上面よりも下方に位置する解除状態から前記周方向に沿って前記係合部が前記突出部に近付く係合方向に変位することで前記突出部と係合し、かつこの係合状態において前記突出部の下面に圧接する形状を有することが好ましい。
【００１４】
このようにすれば、前記解除状態から前記カバー部材を前記支持部材に対して前記係合方向に相対回転させるだけで前記係合部と前記突出部とが互いに係合し、しかもこの係合状態で前記係合部が前記突出部の下面に圧接するので、両者の係合状態が安定する。
【００１５】
さらにこの場合において、前記係止部と前記被係止部とが互いに係合したときに前記収容空間を密閉するように前記保持部の上端が前記周方向の全域にわたって前記カバー部材に食い込む、あるいは、前記カバー本体の下端が前記周方向の全域にわたって前記支持部材に食い込む形状を有することが好ましい。
【００１６】
このようにすれば、前記係止部と前記被係止部とを互いに係合させることにより支持部材及びカバー本体で囲まれる収容空間が密閉される。
【００１７】
具体的に、前記係止部と前記被係止部とが互いに係合したときに前記保持部の上端が前記周方向の全域にわたって前記カバー本体の下端に食い込む形状を有することが好ましい。
【００１８】
このようにすれば、前記保持部と前記カバー本体とによって前記収容空間が密閉される。換言すれば、前記係止部及び前記被係止部の内側に前記収容空間の密閉構造が構築される。よって、前記係止部又は前記被係止部に外力が作用する等してこれらが変形した場合であっても、前記収容空間の密閉状態が維持される。
【００１９】
この場合において、前記被係止部は、前記側壁部の下端から下方に延びる延長壁部をさらに有し、この延長壁部の下端の位置は、前記カバー本体の下端の位置よりも下方となるように設定されていることが好ましい。
【００２０】
このようにすれば、前記カバー本体のうち前記張出部よりも下側の部位は、上下方向の全域にわたって前記側壁部及び前記延長壁部と前記径方向に重なる。よって、前記カバー部材のうち前記張出部よりも下側の部位の強度が一層向上する。さらに、このカバー部材が平らな表面を有する台等の上に載置された場合であっても、前記延長壁部の下端が前記台の表面と接触することによって前記カバー本体の下端の前記台の表面への接触が回避されるので、当該カバー本体の下端の損傷が回避される。よって、前記係止部と前記被係止部との係合時における前記保持部の上端の前記カバー本体の下端への食い込みが良好に保たれる。
【００２１】
また、本発明において、前記被係止部は、前記突出部に乗り上げる乗上部をさらに有し、この乗上部は、前記係合状態から前記解除状態となるように前記係合部が前記周方向について前記係合方向と反対の解除方向に変位した後そのまま当該解除方向に変位するにしたがって前記カバー本体を前記軸方向について前記支持部材から次第に離間させるように前記突出部に乗り上げる形状を有することが好ましい。
【００２２】
このようにすれば、前記カバー部材を前記支持部材に対して前記解除方向に相対回転させることにより前記解除状態となった後にカバー本体が前記軸方向について前記支持部材から離間するので、カバー部材の支持部材からの取り外しが容易になる。
【００２３】
この場合において、前記被係止部は、前記係合部の前記周方向の両端から下方に向かって突出する一対の凸部をさらに有し、この一対の凸部の下端は前記乗上部の下端と同じ高さ位置に設定されており、前記突出部の前記周方向の寸法は、前記一対の凸部のうち前記乗上部と前記周方向に隣接する隣接凸部の下端と前記乗上部の下端との間の寸法及び前記一対の凸部のそれぞれの下端間の寸法よりも大きく設定されていることが好ましい。
【００２４】
このようにすれば、前記カバー部材を前記支持部材に対して前記解除方向に相対回転させることにより前記カバー本体が前記支持部材から前記軸方向に離間した状態が、前記突出部が前記一対の凸部のうち前記隣接凸部を基準として前記乗上部と反対側に位置する凸部から前記周方向に離間するまで維持される。よって、カバー部材の取り外しがさらに容易になる。
【発明の効果】
【００２５】
以上のように、本発明によれば、カバー部材の取り外し時における当該カバー部材の変形を抑制可能な薬剤体容器を提供することができる。
【図面の簡単な説明】
【００２６】
【図１】本発明の一実施形態の薬剤体容器の斜視図である。
【図２】図１に示す薬剤体容器の支持部材の斜視図である。
【図３】図２に示す支持部材が軸方向に重ね合わされた状態を示す断面図である。
【図４】図１に示す薬剤体容器のカバー部材を上方から見た状態の斜視図である。
【図５】図１に示す薬剤体容器のカバー部材を下方から見た状態の斜視図である。
【図６】図４に示すカバー部材が軸方向に重ね合わされた状態を示す断面図である。
【図７】図１に示す薬剤体容器の断面図である。
【図８】係止部及び被係止部の近傍を示す拡大図である。
【図９】（ａ）係止部と被係止部とが互いに係合した係合状態を示す図である。（ｂ）係止部と被係止部との係合が解除された解除状態を示す図である。（ｃ）乗上部が突出部に乗り上げた直後の状態を示す図である。（ｄ）一対の凸部が突出部の上面に位置する状態を示す図である。（ｅ）一対の凸部が突出部を通過した直後の状態を示す図である。
【図１０】係止部及び被係止部の変形例を示す断面図である。
【発明を実施するための形態】
【００２７】
本発明の一実施形態の薬剤体容器について、図１〜図９を参照しながら説明する。なお、以下の説明における上下及び左右の各方向は、図７に基づいている。本薬剤体容器は、保形性を有する薬剤体１０（図７を参照）を収容するための収容空間を有している。この収容空間に収容される薬剤体１０には、芳香剤、消臭剤、脱臭剤等の薬剤が含まれている。本実施形態では、薬剤体１０はゲル状である。
【００２８】
本実施形態の薬剤体容器は、図１及び図７に示されるように、薬剤体１０を支持する支持部材２０と、この支持部材２０とともに薬剤体１０を収容するカバー部材４０とを備えている。
【００２９】
図２に示されるように、支持部材２０は、保持部２２と、円筒部２６と、規制片２８と、カバー部材４０を係止可能な係止部３０とを有する。
【００３０】
保持部２２は、薬剤体１０の下部を保持する。具体的に、保持部２２は、円筒状の把持部２３と、底壁２４とを有する。
【００３１】
把持部２３は、薬剤体１０の下部をその周囲から取り囲む形状を有する。把持部２３の外周面にはローレットが形成されている。図８に示されるように、把持部２３の上端２３ａは、係止部３０がカバー部材４０を係止した状態においてカバー部材４０に食い込む形状に形成されている。底壁２４は、把持部２３の下端に接続されており、その中央に形成された中央開口を除いて把持部２３の下側の開口を塞ぐ形状を有する。
【００３２】
円筒部２６は、底壁２４の中央開口の周縁部から上方に向かって突出する形状を有する。図３及び図７に示されるように、円筒部２６の内周面には、段部２６ａが形成されている。本実施形態では、特定の支持部材２０の円筒部２６内に当該特定の支持部材２０とは別の支持部材２０の円筒部２６が挿入されたときに前記特定の支持部材２０の円筒部２６の段部２６ａに前記別の支持部材２０の円筒部２６の上端２６ｂが当接するように段部２６ａの形状が設定されている。すなわち、軸方向に複数個の支持部材２０が重ね合わされることが可能となっている。
【００３３】
規制片２８は、薬剤体１０の下部に食い込むことにより保持部２２及び円筒部２６に対する薬剤体１０の相対回転を規制する形状を有する。規制片２８は、底壁２４の上面及び円筒部２６の下端部の外周面に接続されている。
【００３４】
係止部３０は、把持部２３の上部の外周面に接続されており、カバー部材４０と係合可能な形状を有する。具体的に、係止部３０は、係止部本体３２と、突出部３４とを有する。
【００３５】
係止部本体３２は、把持部２３の上部の外周面から上方に延びる形状を有する。係止部本体３２は、把持部２３の周方向の全域にわたってつながる円筒状を呈する。
【００３６】
突出部３４は、係止部本体３２の外周面から外向きに突出する形状を有する。突出部３４は、前記周方向に沿って延びる形状を有する。図２及び図９に示されるように、突出部３４の下面３４ｂは、前記周方向の一端から他端に向かうにしたがって次第に下方に向かうように前記軸方向（図９の上下方向）と直交する平面に対して傾斜している。本実施形態では、係止部本体３２の外周面の周方向に沿って等間隔に並ぶ６箇所にそれぞれ突出部３４が接続されている。
【００３７】
カバー部材４０は、支持部材２０とともに前記収容空間を形成するカバー本体４２と、支持部材２０の係止部３０と係合可能な被係止部５０とを有する。
【００３８】
カバー本体４２は、筒体４４と、閉塞部４６とを有する。なお、図４及び図５では、閉塞部４６の図示は省略されている。
【００３９】
筒体４４は、上下方向に開口する筒状でありかつその軸方向（図７の上下方向）と直交する方向（図７の左右方向）の断面が前記軸方向の全域にわたって円形である。筒体４４の下端４４ａには、係止部３０と被係止部５０とが互いに係合したときに周方向の全域にわたって把持部２３の上端２３ａが食い込む。筒体４４の外周面には、段部４４ｂが形成されている。本実施形態では、図６に示されるように、特定のカバー部材４０の筒体４４内に当該特定のカバー部材４０とは別のカバー部材４０の筒体４４が挿入されたときに前記特定のカバー部材４０の筒体４４の下端部近傍の内周面が前記別のカバー部材４０の筒体４４の段部４４ｂに当接するように段部４４ｂの形状が設定されている。すなわち、軸方向に複数個のカバー部材４０が重ね合わされることが可能となっている。
【００４０】
閉塞部４６は、図７に示されるように、筒体４４の上側の開口を取り囲む内周面と円筒部２６の上端の外周面との間に形成される環状の開口を閉塞する円環状の天板４６ａと、天板４６ａの下面に接続されており筒体４４の上端に係合する第一爪部４６ｂと、天板４６ａの下面に接続されており円筒部２６の上端に係合する第二爪部４６ｃとを有する。
【００４１】
被係止部５０は、張出部５２と、側壁部５４と、係合部５６と、延長壁部５８と、乗上部６０と、一対の凸部６２とを有する。
【００４２】
張出部５２は、筒体４４の外周面の下端よりも上方の部位から径方向の外側に向かって張り出す形状を有する。本実施形態では、張出部５２には、当該張出部５２をその厚み方向（図７の上下方向）に貫通する貫通孔５２ａが形成されている。この貫通孔５２ａは、張出部５２の周方向に沿って等間隔に並ぶ６箇所に形成されている。
【００４３】
側壁部５４は、張出部５２の外端から下方に向かって延びる形状を有する。側壁部５４は、周方向に全域にわたってつながった円筒状を呈する。側壁部５４は、筒体４４と前記径方向に重なっている。
【００４４】
係合部５６は、側壁部５４の下端から内向きに突出する形状を有する。係合部５６の上面５６ａは、前記軸方向と直交する平面と平行な平坦面となっている。係合部５６は、突出部３４の下側に位置するように当該突出部３４と上下方向に重なった状態でこの突出部３４と係合する。具体的に、係合部５６は、当該係合部５６が前記周方向について突出部３４から離間しかつ当該係合部５６の上面５６ａが突出部３４の上面３４ａよりも下方に位置する解除状態から、前記周方向に沿って係合部５６が突出部３４に近付く係合方向に変位することで突出部３４の下側に位置しつつ当該突出部３４と係合する。そして、この係合状態において、係合部５６は突出部３４の下面３４ｂに圧接する。一方、前記係合状態から、係合部５６が突出部３４と上下方向に重ならなくなるまで（係合部５６が前記周方向について突出部３４から離間するまで）この係合部５６が前記周方向について前記係合方向と反対の解除方向（図１及び図４において筒体４４の外周面に形成された矢印の方向）に変位することで前記解除状態となる。本実施形態では、係合部５６は、張出部５２の貫通孔５２ａと上下方向に重なる位置に設けられており、上面視で貫通孔５２ａ内に収まる形状に設定されている。
【００４５】
延長壁部５８は、側壁部５４の下端から下方に延びる形状を有する。図８に示されるように、この延長壁部５８の下端５８ａの位置は、筒体４４の下端４４ａの位置よりも下方となるように設定されている。
【００４６】
乗上部６０は、係合部５６が前記解除方向に変位したときに突出部３４に乗り上げる形状を有する。具体的に、乗上部６０は、係合部５６が前記解除方向に変位したときに突出部３４に対して摺動する摺動面６０ａを有する。図９（ａ）〜図９（ｃ）に示されるように、摺動面６０ａは、前記係合状態（図９（ａ）の状態）から前記解除状態（図９（ｂ）の状態）となるように係合部５６が前記解除方向に変位した後そのまま当該解除方向に係合部５６が変位することにより乗上部６０を突出部３４上に乗り上げさせる形状を有する。本実施形態では、摺動面６０ａは、前記係合方向（図９の左方向）に向かうにしたがって次第に下方に向かうように直線状に傾斜する形状を有する。乗上部６０の摺動面６０ａが突出部３４に接触したときから当該乗上部６０の下端が突出部３４の上面３４ａに乗り上げるまでの間、カバー本体４２は前記軸方向について支持部材２０から次第に離間する。本実施形態では、乗上部６０は、張出部５２の下面と側壁部５４及び延長壁部５８の内側面とに接続されている。
【００４７】
一対の凸部６２は、係合部５６の前記周方向の両端から下方に向かって突出する形状を有する。一対の凸部６２の下端は、乗上部６０の下端と同じ高さ位置に設定されている。本実施形態では、図９（ｄ）〜図９（ｅ）に示されるように、突出部３４の前記周方向の寸法は、一対の凸部６２のうち乗上部６０と前記周方向に隣接する隣接凸部６２ａの下端と乗上部６０の下端との間の寸法Ｌ１及び一対の凸部６２のそれぞれの下端間の寸法Ｌ２よりも大きく設定されている。一対の凸部６２は、延長壁部５８の内側面に接続されている。
【００４８】
本実施形態では、カバー部材４０は、当該カバー部材４０を補強するための補強リブ６４を有している。補強リブ６４は、張出部５２の上面と筒体４４の外周面とに接続されている。
【００４９】
ここで、本実施形態の薬剤体容器の中に薬剤体１０を供給する工程について説明する。
【００５０】
まず、筒体４４から閉塞部４６を取り外す。そして、支持部材２０に対してカバー部材４０のうち閉塞部４６以外の部位を組み付ける。具体的に、前記解除状態から支持部材２０に対して筒体４４を前記係合方向に相対回転させる。そうすると、係合部５６の上面５６ａが突出部３４の下面３４ｂに圧接することで係合部５６と突出部３４とが互いに係合する。このように、本実施形態では、前記解除状態からカバー部材４０を支持部材２０に対して前記係合方向に相対回転させるだけで突出部３４と係合部５６とが互いに係合し、しかもこの係合状態で係合部５６の上面５６ａが突出部３４の下面３４ｂに圧接するので、両者の係合状態が安定する。このとき、つまり、係合状態となったとき、把持部２３の上端２３ａが筒体４４の下端４４ａに食い込む。
【００５１】
次に、筒体４４の上側の開口を取り囲む内周面と円筒部２６の上端の外周面との間に形成される環状の開口から筒体４４の内周面と円筒部２６の外周面との間の収容空間内に、流動性を有する薬剤体形成材を充填する。この薬剤体形性材は、固化することにより薬剤体１０となる。そして、筒体４４の上端に閉塞部４６を取り付ける。これにより、前記収容空間が密閉される。具体的に、係止部３０と被係止部５０とが互いに係合したときに把持部２３の上端２３ａが前記周方向の全域にわたって筒体４４の下端４４ａに食い込んでいるので、あとは筒体４４の上端に閉塞部４６を取り付けることによって前記収容空間が密閉される。しかも、本実施形態では、係止部３０及び被係止部５０の内側に前記収容空間の密閉構造が構築されるので、係止部３０又は被係止部５０に外力が作用する等してこれらが変形した場合であっても、前記収容空間の密閉状態が維持される。
【００５２】
その後、前記薬剤体形成材が固化することにより保形性を有する薬剤体１０が形成される。このようにして薬剤体容器内への薬剤体１０の供給が行われる。
【００５３】
続いて、薬剤体容器内の薬剤体１０を外部に露出させる工程について説明する。
【００５４】
支持部材２０に対してカバー部材４０を前記解除方向に相対回転させる。これにより、図９（ｂ）に示されるように、突出部３４と係合部５６との係合が解除されて解除状態となる。ここで、カバー本体４２の下端部は自由端となっており当該カバー本体４２において相対的に強度が低いことから、カバー部材４０を支持部材２０から取り外すときに当該カバー部材４０を把持する力、すなわち、カバー部材４０に対して内向きに作用する力に起因してカバー本体４２が撓み変形することが懸念される。しかしながら、本実施形態の薬剤体容器では、カバー部材４０の被係止部５０が支持部材２０の係止部３０に係合可能な係合部５６を有するとともに張出部５２と側壁部５４とを有するので、カバー部材４０を補強するための専用の補強部を別途設けずともカバー部材４０を支持部材２０に係合させるための被係止部５０によって当該カバー部材４０の剛性が確保されている。具体的に、張出部５２は、カバー本体４２の外周面から外側に張り出す形状を有し、側壁部５４は、張出部５２の外端から下方に向かって延びるとともに前記周方向の全域にわたって前記径方向についてカバー本体４２と重なる形状を有するので、カバー部材４０のうち張出部５２よりも上側の部位の断面係数に比べて張出部５２よりも下側の部位の断面係数が大きくなり、これによりカバー部材４０のうち張出部５２よりも下側の部位の強度が確保される。そして、係合部５６は、側壁部５４に接続されており、張出部５２及び側壁部５４によるカバー部材４０を補強する機能を阻害することなく当該カバー部材４０の支持部材２０への係合を可能とする。換言すれば、被係止部５０は、支持部材２０の係止部３０と係合する機能に加えてカバー部材４０を補強する機能を兼ね備えていることから、この被係止部５０をカバー本体４２に設けることにより、カバー部材４０を補強するための専用の補強部を設けるスペースの確保を省略しながら、カバー部材４０の支持部材２０への係合と当該カバー部材４０の補強との双方が可能となる。よって、支持部材２０からカバー部材４０を取り外すときにおけるカバー部材４０の撓み変形が抑制される。したがって、このときに薬剤体１０から薬液が絞り出されるのが抑制される。
【００５５】
そして、突出部３４と係合部５６との係合が解除されて解除状態となった後、カバー部材４０をそのまま前記解除方向へ回転させ続けることによって、図９（ｃ）に示されるように、乗上部６０が突出部３４の上に乗り上げる。これにより、カバー本体４２が支持部材２０から軸方向に離間する。よって、カバー部材４０の支持部材２０からの取り外しが容易になる。
【００５６】
その後、カバー部材４０を支持部材２０から取り外すことにより薬剤体１０のうちカバー本体４２で覆われていた部位が露出する。ここで、図９（ｄ）及び図９（ｅ）に示されるように、突出部３４の前記周方向の寸法は、前記寸法Ｌ１及び前記寸法Ｌ２よりも大きく設定されているので、カバー本体４２が支持部材２０から前記軸方向に離間した状態は、突出部３４が一対の凸部６２のうち隣接凸部６２ａとは異なる凸部６２から前記周方向に離間するまで維持される。よって、カバー部材４０の取り外しがさらに容易になる。
【００５７】
なお、薬剤体１０の表面に離水が生じていたとしても、カバー部材４０を支持部材２０から取り外した後、その離水は、把持部２３の上面、係止部本体３２の内周面、及び薬剤体１０の外周面で囲まれる空間に収容される。
【００５８】
以上説明したように、本実施形態の薬剤体容器では、被係止部５０が支持部材２０の係止部３０と係合する機能及びカバー部材４０を補強する機能の双方を兼ね備えていることから、この被係止部５０をカバー本体４２に設けることにより、カバー部材４０を補強するための専用の補強部を設けるスペースの確保を省略しながら、カバー部材４０の支持部材２０への係合と当該カバー部材４０の補強との双方が可能となる。
【００５９】
また、本実施形態では、係止部本体３２及び突出部３４がともに前記径方向について側壁部５４及び延長壁部５８の内側に収まり、かつこの状態で突出部３４が係合部５６の上から当該係合部５６に係合するので、薬剤体容器の前記径方向の寸法の大型化を回避しながらカバー部材４０の支持部材２０から離間する方向への変位が規制される。
【００６０】
さらに、本実施形態では、被係止部５０が延長壁部５８を有し、この延長壁部５８の下端５８ａの位置が、筒体４４の下端４４ａの位置よりも下方となるように設定されているので、カバー本体４２のうち張出部５２よりも下側の部位は、上下方向の全域にわたって側壁部５４及び延長壁部５８と前記径方向に重なる。よって、カバー部材４０のうち張出部５２よりも下側の部位の強度が一層向上する。さらに、このカバー部材４０が平らな表面を有する台等の上に載置された場合であっても、延長壁部５８の下端５８ａが前記台の表面と接触することによって筒体４４の下端４４ａの前記台の表面への接触が回避されるので、当該筒体４４の下端４４ａの損傷が回避される。よって、係止部３０と被係止部５０との係合時における把持部２３の上端２３ａの筒体４４の下端４４ａへの食い込みが良好に保たれる。
【００６１】
また、本実施形態では、係合部５６は、張出部５２に形成された貫通孔５２ａと上下方向に重なる位置に設けられており、上面視で貫通孔５２ａ内に収まる形状を有することから、カバー部材４０を成形するときに用いられる金型が簡素化される。具体的に、係合部５６を境界として上下に分割可能な上下金型を用いることにより、容易にカバー部材４０が成形される。
【００６２】
また、本実施形態では、支持部材２０は、軸方向に重ね合わされることが可能であるので、複数の支持部材２０を省スペースで保管すること及び搬送することが可能となる。また、複数の支持部材２０が互いに重ね合わされた状態で保管及び搬送されることにより、各支持部材２０の破損が抑制される。このことは、カバー部材４０についても同様である。
【００６３】
なお、今回開示された上記実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６４】
例えば、上記実施形態では、係合部５６が側壁部５４の下端から内向きに突出する形状を有し、係止部３０の係止部本体３２及び突出部３４がともに前記径方向について筒体４４の外周面と側壁部５４及び延長壁部５８との間に収まる形状を有する例が示されたが、カバー部材４０のうち張出部５２よりも下側の部位の断面係数が張出部５２よりも上側の部位のそれよりも大きくなるのであれば、係止部３０及び被係止部５０の形状はこれに限られない。例えば、図１０に示されるように、係合部５６が側壁部５４の下端から外向きに突出していてもよい。この場合、係止部３０の係止部本体３２は、把持部２３の外周面から係合部５６よりも外側に至るように外向きに突出する第一本体部３２ａと、この第一本体部３２ａの外端から係合部５６の上方に至るように上方に向かって延びる形状の第二本体部３２ｂとを有し、突出部３４は、係合部５６の上から当該係合部５６に係合するように第二本体部３２ｂの内側面から内側に向かって突出する形状とされることが好ましい。
【００６５】
また、上記実施形態では、支持部材２０に対して筒体４４を前記係合方向に相対回転させることによって両者が嵌合する例が示されたが、両者の嵌合方法はこれに限られない。例えば、支持部材２０の突出部３４に対してカバー部材４０の係合部５６が上方に位置するように突出部３４及び係合部５６が互いに上下方向に重なり合う状態から、係合部５６が突出部３４の下方に至りその状態で両者が互いに上下方向に重なり合いながら嵌合するようにカバー部材４０を下方に押し付けることによって支持部材２０とカバー部材４０とを嵌合させてもよい。
【００６６】
また、上記実施形態では、突出部３４の下面３４ｂが前記軸方向と直交する平面に対して傾斜する形状であり、係合部５６の上面５６ａが前記軸方向と直交する平面と平行な平坦面である例が示されたが、これらの面の形状は逆であってもよい。すなわち、突出部３４の下面３４ｂが前記軸方向と直交する平面と平行な平坦面であり、係合部５６の上面５６ａが前記周方向について突出部３４から離間するにしたがって上方に向かうように前記軸方向と直交する平面に対して傾斜する形状であってもよい。
【００６７】
また、筒体４４の下端４４ａは、係止部３０と被係止部５０とが互いに係合したときに把持部２３の上端２３ａ又は係止部本体３２の内側面に食い込む形状であってもよい。
【００６８】
また、本実施形態の薬剤体容器は、詰替え用の容器として用いられてもよい。すなわち、本薬剤体容器の外側を覆う形状を有する化粧用のカバー容器内に本薬剤体容器が装着されてもよい。この場合、その内部に薬剤体１０を収容した状態の薬剤体容器からカバー部材４０が取り外されたものが前記カバー容器内に装着される。このようにすれば、薬剤体１０の外部への露出が回避される。
【符号の説明】
【００６９】
１０    薬剤体
２０    支持部材
２２    保持部
２３    把持部
２３ａ  把持部の上端
３０    係止部
３２    係止部本体
３４    突出部
３４ａ  突出部の上面
３４ｂ  突出部の下面
４０    カバー部材
４２    カバー本体
４４    筒体
４４ａ  筒体の下端
４６    閉塞部
５０    被係止部
５２    張出部
５２ａ  貫通孔
５４    側壁部
５６    係合部
５６ａ  係合部の上面
５８    延長壁部
６０    乗上部
６０ａ  摺動面
６２    一対の凸部
６４    補強リブ
【図１】
2015048140.tif 000003
【図２】
2015048140.tif 000004
【図３】
2015048140.tif 000005
【図４】
2015048140.tif 000006
【図５】
2015048140.tif 000007
【図６】
2015048140.tif 000008
【図７】
2015048140.tif 000009
【図８】
2015048140.tif 000010
【図９】
2015048140.tif 000011
【図１０】
2015048140.tif 000012